【手続補正書】
【提出日】平成19年12月17日(2007.12.17)
【手続補正１】
【補正対象書類名】明細書
【補正対象項目名】特許請求の範囲
【補正方法】変更
【補正の内容】
【特許請求の範囲】
【請求項１】  入力ビット列を誤り訂正符号化し、その誤り訂正符号化された入力ビット列から符号語ビットを生成する符号器と、
前記符号語ビットを受け取り、行単位データとして格納し、列単位データに出力するブロックインターリバーと、
前記符号器の符号語ビット数と前記ブロックインターリバーの列数が互いに素でない場合、前記ブロックインターリバーの各列の偏ったデータビットを均一に分布させるように、符号語ビットの出力順序を交互に変換するためにスイッチングアルゴリズムを行い、前記変換された符号語ビットの出力順序を出力するスイッチング部と、
前記ブロックインターリバーから列単位でデータを受け取った後で、ラジオフレームを生成するラジオフレームセグメント処理部と、
前記ラジオフレームに含まれたデータビットを端末機と、基地局間の伝送に適合する伝送形態にマッチングして前記ラジオフレームに伝送する伝送率マッチング部と
を備えることを特徴とする移動通信システムの伝送率マッチング装置。
【請求項２】  入力ビット列を誤り訂正符号化し、その誤り訂正符号化された入力ビット列から符号語ビットを生成する符号器と、
前記符号語ビットを受け取って行単位データとして前記符号語ビットを格納し、列単位データに出力するブロックインターリバーと、
前記符号器の符号語ビット数と前記ブロックインターリバーの列数が互いに素でない場合、前記ブロックインターリバーの各列の偏ったデータビットを均一に分布させるように、前記符号器から出力されるスイッチビットと予め設定された仮想ビットとを順次スイッチングするスイッチングアルゴリズムを行い、前記ブロックインターリバーに前記スイッチされたビットを出力するスイッチング部と、
前記ブロックインターリバーから列単位データを受け取った後、ラジオフレームを生成するラジオフレームセグメント処理部と、
前記ラジオフレームに含まれたデータビットを端末機と、基地局間の伝送に適合する伝送形態にマッチングして前記ラジオフレームを伝送する伝送率マッチング部と
を備えることを特徴とする移動通信システムの伝送率マッチング装置。
【請求項３】  前記ブロックインターリバーは、前記仮想ビットを含む信号を受け取った場合はカウントせず、前記仮想ビットを含まない信号を受け取った場合、カウントするアドレスカウンタを有することを特徴とする請求項２に記載の移動通信システムの伝送率マッチング装置。
【請求項４】  前記ブロックインターリバーは、さらに列単位データを出力する以前に、各列の順序を換える列方向変換を行うことを特徴とする請求項１に記載の移動通信システムの伝送率マッチング装置。
【請求項５】  前記ブロックインターリバーは、先ず、０ｓｕｐ番目の列の符号語ビットを出力した後、３ｓｕｐ番目の列の符号語ビットを出力し、２ｓｕｐ番目の列、１ｓｕｐ番目の列、６ｓｕｐ番目の列、５ｓｕｐ番目の列、４ｓｕｐ番目の列、７ｓｕｐ番目の列の順に、各列の順序を変換して符号語ビットを出力することを特徴とする請求項１に記載の移動通信システムの伝送率マッチング装置。
【請求項６】  前記伝送率マッチング部は、前記ラジオフレームに含まれる前記ビットを分離するビット分離器からなることを特徴とする請求項１に記載の移動通信システムの伝送率マッチング装置。
【請求項７】  前記伝送率マッチング部は、さらに伝送率マッチングの効率を向上するために、仮想インターリバーで分離されたビットの伝送率マッチング結果を格納し、前記ビット分離器にビット列を受け取った順に、前記マッチングされたビット列を復元して出力するビット収集部を有することを特徴とする請求項６に記載の移動通信システムの伝送率マッチング装置。
【請求項８】  前記ビット収集部は、前記ブロックインターリバーの対応するビットポジションに応じて前記仮想インターリバーから出力された前記ビットを格納することを特徴とする請求項７に記載の移動通信システムの伝送率マッチング装置。
【請求項９】  入力ビット列を誤り訂正符号化し、その誤り訂正符号化された入力ビット列から符号語ビットを生成するステップと、
前記符号語ビットを行単位データに格納し、ブロックインターリバーを用いて列単位データに出力するステップと、
前記符号器の符号語ビット数と前記ブロックインターリバーの列数が互いに素でない場合、前記ブロックインターリバーの各列の偏ったデータビットを均一に分布させるように、前記符号語ビットの出力順序を交互に変換して、前記ブロックインターリバーに変換した順序を出力するステップと、
ラジオフレームセグメント処理部内の前記ブロックインターリバーから出力された列単位データを受け取ることによって、ラジオフレームを生成するステップと、
前記ラジオフレームに含まれたデータビットを端末機と、基地局間の伝送に適合する伝送形態にマッチングして伝送するステップと
から構成されることを特徴とする移動通信システムの伝送率マッチング方法。
【請求項１０】  前記ラジオフレーム内に含まれる前記データビットをマッチングして伝送するステップは、分離器を用いて前記ラジオフレーム内に含まれるビットを分離するステップを有することを特徴とする請求項９に記載の移動通信システムの伝送率マッチング方法。
【請求項１１】  入力ビット列を誤り訂正符号化し、その誤り訂正符号化された入力ビット列から符号語ビットを生成するステップと、
前記符号語ビットを行単位に格納し、ブロックインターリバーを用いて前記符号語ビットを列単位データに出力するステップと、
前記符号器の符号語ビット数と前記ブロックインターリバーの列数が互いに素でない場合、前記ブロックインターリバーの各列の偏ったデータビットを均一に分布させるように、前記符号器から出力される出力ビットと予め設定された仮想ビットとを順次スイッチングして、前記ブロックインターリバーに送るステップと、
ラジオフレームセグメント処理部内の前記ブロックインターリバーから出力される列単位データを受け取ることによって、ラジオフレームを生成するステップと、
各ラジオフレームに含まれたデータビットを端末機と、基地局間の伝送に適合する伝送形態にマッチングして伝送するステップとから構成されることを特徴とする移動通信システムの伝送率マッチング方法。
【請求項１２】  前記ブロックインターリバーに、前記符号語ビットを列数だけ格納するステップと、
メモリバッファに、前記仮想ビットが入力されたか否かによって、カウンティング動作を判断するステップとを有することを特徴とする請求項１１に記載の移動通信システムの伝送率マッチング方法。
【請求項１３】  前記ラジオフレーム内に含まれる前記データビットをマッチングして伝送するステップは、さらに仮想インターリバーで分離されたビットのマッチングを行うステップと、
前記ラジオフレーム内に含まれるビットが前記ビット分離器に受け取られた順に、前記マッチングされたビットを格納するステップを有することを特徴とする請求項１０に記載の移動通信システムの伝送率マッチング方法。
【請求項１４】  前記マッチングされたビットを格納するステップは、前記仮想インターリバーから出力されたビット列を対応する前記ブロックインターリバーのビットポジションに従って格納するステップをさらに有することを特徴とする請求項１３に記載の移動通信システムの伝送率マッチング方法。
【請求項１５】  前記仮想インターリバーから出力された前記ビットを格納するステップは下記式に従って実行されることを特徴とする請求項１４に記載の移動通信システムの伝送率マッチング方法。